(57)【要約】【課題】信号の授受を確実に行うことのできる半導体メモリを内蔵したカセット形状記録媒体及び記録再生装置の提供を目的とする。【解決手段】カセット側面に配備された金属板３ａと凹凸部材４ａを、記録再生機器側にはマグネット５ａと凹凸部材６ａを備え、カセットローディング時にこれらが磁気式吸引力で正確に位置決めされ、メモリＲ／Ｗ制御端子群２と７が信頼性高く接触することにより、半導体メモリを内蔵したカセット媒体を自動装填排出させることが可能となる。【選択図】図２
2006215792.tif 000002
【特許請求の範囲】
【請求項１】
半導体メモリ群と、
これらの半導体メモリ群を制御するための第１の電気的接点端子群と、
磁気式吸引力を生じる部材と、
第１の凹凸部材とを有するカセット形状記録媒体。
【請求項２】
前記カセット形状記録媒体に装着された磁気式部材を吸引するマグネットと、
前記カセット形状記録媒体の第１の凹凸部材と噛み合わさることでこのカセット位置を確定させうる第２の凹凸部材と、
第１と第２の凹凸部材が噛み合い前記カセット形状媒体位置が定まった際に、第１の電気的接点群と接触し電気的導通を可能とする第２の電気的接点端子群を備えた記録再生装置。
【発明の詳細な説明】
【技術分野】
【０００１】
本発明は、半導体メモリを内蔵したカセット形状記録媒体及びカセット形状記録媒体に対して記録及び再生を行う記録再生装置に関する。
【背景技術】
【０００２】
記録媒体としては、過去からテープ状カセットが広く利用されているが、アクセス性に難があり、近年は、ＳＤメモリーカードに代表される半導体メモリ媒体も普及してきた。大容量記録では、コスト面で有利なカセットテープがまだまだ有利な反面、半導体メモリの優れたアクセス性はこれに勝る媒体はなく、これら両方の記録媒体の利点を活かす手段として、例えば、特許文献１に示されるように、磁気テープカセットに半導体メモリを内蔵し、必要に応じてこの半導体メモリに記録再生することで、アクセス性を改善する案が提案されている。
【０００３】
この従来のカセット形状記録媒体及び記録再生装置では、情報を半導体メモリに書き込み、読み出しするための接点部を備え、装置側にはこの接点部と電気的に結合するための接点端子部を備える必要があり、磁気テープのローディングメカニズムとの干渉を避けて配置されていた。
【特許文献１】特開平６−１５０６１６号公報
【発明の開示】
【発明が解決しようとする課題】
【０００４】
半導体製造技術の進歩によって、半導体メモリは今後も加速度的にコストダウンが進むと予想され、大容量媒体も半導体メモリだけで構成することが予想される。
【０００５】
しかしながら、従来の半導体メディアではカード形状の構造で、記録再生装置への挿抜に関してはＰＣＭＣＩＡカードやＳＤカードのように手動で操作することを想定した構造であり、自動的なロード、アンロードには適していない構造になっていた。このため例えば、メディアをロボットで制御して記録再生装置に装填したりするローダー、カートマシン等と総称されるライブラリーシステム装置への展開は、非常に困難であり、半導体メディアの大容量アーカイブ用途展開への課題にもなっていた。
【課題を解決するための手段】
【０００６】
前記従来の課題を解決するために、本発明のカセット形状記録媒体及び記録再生装置は、半導体メモリを内蔵したカセット形状の構造で、半導体メモリ群と、これらの半導体メモリ群を制御するための第１の電気的接点端子群と、磁気式吸引力を生じる部材と、第１の凹凸部材とを有するカセット形状記録媒体と、前記カセット形状記録媒体に装着された磁気式部材を吸引するマグネットと、前記カセット形状記録媒体の第１の凹凸部材と噛み合わさることでこのカセット位置を確定させうる第２の凹凸部材と、第１と第２の凹凸部材が噛み合い前記カセット形状媒体位置が定まった際に、第１の電気的接点群と接触し電気的導通を可能とする第２の電気的接点端子群を備えた記録再生装置を有し、前期カセット形状記録媒体が前記記録再生装置に装填される。
【発明の効果】
【０００７】
本発明のカセット形状記録媒体及び記録再生装置によれば、カード形状でなくカセット形状にすると内蔵する半導体メモリの大容量化がさらに加速され、上述したような本構成によって、この半導体メモリ内蔵カセットは前述の第１と第２の凹凸部材が噛み合うことにより正確な位置固定が可能となり、さらにカセットに設置された金属部材と記録再生装置に配備されたマグネットが、磁気式の吸引力で密着することで、カセット側の第１の電気的接点群と機器側の第２の電気的接点群の導通が信頼性高く実現できる。大容量の半導体メモリを搭載したカセットを繰り返し安定して装抜でき、装填時はこの半導体メモリとの信頼性高い読み出し書き込みが可能となるため、ロボットによるカセット装抜行為も可能となり、従来のテープアーカイブシステムへの導入展開をすることができる。
【０００８】
また従来の磁気カセットテープでは、このカセットテープを記録再生装置に固定させる場合、マグネットのような磁気式吸引力を用いると、記録された磁気情報を劣化させる可能性があったが、本発明ではまったくこのような劣化の心配がなく、安価な部材でカセットを記録再生機器へ信頼性高く位置決め固定することが可能となり、カメラレコーダ等のポータブル機器へも導入することができる。
【発明を実施するための最良の形態】
【０００９】
以下、本発明を実施するための最良の形態について、図面を参照しながら説明する。
【００１０】
図１は、本発明の実施の形態におけるカセット形状記録媒体の側面斜視図である。図１において、１は半導体メモリを内蔵したカセットの側面、２はこのカセットに内蔵した半導体メモリを制御するための電気的接点群（以下、メモリＲ／Ｗ制御端子群と称す）、３ａ、３ｂは金属板、４ａ、４ｂは凹凸部で、図に示したような三角上の凹凸形状となっている。
【００１１】
図２は、本発明のカセット形状記録媒体と記録再生装置の装着部の部分図であり、半導体メモリを内蔵したカセットが装着途中の過程にあり、カセット側面１は矢印で示された方向に移動している。図３において、５ａは記録再生装置に配備されたマグネットであり、カセット側面１に配備された金属板４ａに対面した位置に設置されている。６ａは同様にカセット側面１に配備された第１の凹凸部３ａと対面して噛み合うように記録再生装置側に配備された第２の凹凸部材、７はカセット側面１に配備されたメモリＲ／Ｗ制御端子群２に対面した位置の記録再生装置側に配備した第２のメモリ制御端子群である。
【００１２】
カセットに配備された第１の凹凸部材３ｂ、金属板４ｂに対面した記録再生側の位置には、第２の凹凸部材６ｂ、マグネット６ｂが存在するが、省略している。
【００１３】
カセットが矢印に示された方向へ移動して、金属板４ａ、４ｂがマグネット５ａ、５ｂに接近すると、吸引力が働き、やがてカセットが記録再生装置へ引き込まれる。この時、第１、第２の凹凸部材によって噛み合わせ状態が一定したものとなることから、カセットと記録再生装置の位置が規制され、常に同じ位置に固定される。このためカセット側の第１のメモリＲ／Ｗ制御端子群２と、記録再生装置側に配備した第２のメモリＲ／Ｗ制御端子群７も接触状態が信頼性高いものとなる。
【００１４】
以上のように、半導体メモリを内蔵したカセットは、従来の半導体メモリカードが機器側へ装填される際には強い圧力をかけてコネクタ挿入を図ったのに対し、
磁気式吸引力によって信頼性高く機器側との装着を容易にしている。
【００１５】
次に、カセットを機器側から取り外す動作に関して説明する。従来の半導体カードでは機器側とメディアの接続は多端子のコネクタの雄側と雌側の勘合に拠っていたため、取り外し時には、装着時以上の力を要することが多かった。本発明のカセットと記録再生装置では金属板４ａ、４ｂとマグネット５ａ、５ｂによる磁気的な力で吸引力が定まっているため、カセット取り外しに際しては、これをわずかに上回る引き抜き力を用意し、特別に大きな力を発生させる機構を用意する必要がない。図示しないが、マグネット５ａ、５ｂを金属板から遠ざける機構で、磁気式吸引力を減少させることも可能である。
【００１６】
以上のように、本発明におけるカセット形状記録媒体及び記録再生装置では、半導体メモリ群を制御するための第１の電気的接点端子群と、磁気式吸引力を生じる部材と、第１の凹凸部材とを有するカセット形状記録媒体と、前記カセット形状記録媒体に装着された磁気式部材を吸引するマグネットと、前記カセット形状記録媒体の第１の凹凸部材と噛み合わさることでこのカセット位置を確定させうる第２の凹凸部材と、第１と第２の凹凸部材が噛み合い前記カセット形状媒体位置が定まった際に、第１の電気的接点群と接触し電気的導通を可能とする第２の電気的接点端子群を備えた記録再生装置とすることにより、大容量の半導体メモリカセット媒体を記録再生装置側へ装抜することを自動化させることができ、これにより大容量のアーカイブシステムへ半導体メモリを展開することが可能となる。
【００１７】
なお、本実施の形態において、記録再生装置に配備したマグネット５は、電流を制御することで発生する磁気的吸引力を制御できるようにし、カセット装填時のみ吸引させるように電気的に制御させる構成としても良い。
【産業上の利用可能性】
【００１８】
本発明にかかるカセット形状記録媒体及び記録再生装置は、半導体メモリを大容量カセット化させ、これを記録再生装置へ装填排出することが自動化することが可能となるので、大規模アーカイブシステムへ利用することが可能になる等、非常に有用である。
【図面の簡単な説明】
【００１９】
【図１】本発明の実施の形態１におけるカセット形状記録媒体の側面斜視図
【図２】本発明のカセット形状記録媒体と記録再生装置の装着部の部分図
【符号の説明】
【００２０】
１・・・カセット側面
２・・・第１のメモリＲ／Ｗ制御端子群
３ａ、３ｂ・・・金属板
４ａ、４ｂ・・・第１の凹凸部材
５ａ・・・マグネット
６ａ・・・第２の凹凸部材
７・・・第２のメモリＲ／Ｗ制御端子群
【図１】
2006215792.tif 000003
【図２】
2006215792.tif 000004